(57)【特許請求の範囲】
【請求項１】
板体の長手方向の中間部を屈曲して屈曲部の両側に二つの部片を形成し、該部片の一方に、前記屈曲部の屈曲線と平行で幅方向の一側端から中間部に至る、吊り径の外径より溝幅が大きい溝穴を設け、該溝穴に面する対角位置の稜線を吊り棒に当接して摩擦力で係止し、該部片の他方に、前記屈曲部の屈曲線と平行で幅方向の他側端から中間部に至る溝穴を設けることを特徴とするケーブル、ホース類の吊持具。
【請求項２】
請求項１において、前記部片の一方の溝穴の適所に、溝幅を僅かに拡大した凹部を設け、該凹部の対角位置の稜線を吊り棒に当接して係止することを特徴とする、ケーブル、ホース類の吊持具。
【発明の詳細な説明】
【０００１】
【発明の属する技術分野】
本発明は、建造中の建物の内部の工事現場などにおいて、工事用の電気ケーブルや水ホース類を、作業者の邪魔にならない高位置に吊るすために利用され、又はすでにケーブル、ホース類を吊り下げている吊り棒に、更に別のケーブル、ホース類を付加的に吊り下げる場合に利用される。
【０００２】
【従来の技術】
工事用のケーブル、ホース類を床面上に這わせておくと危険であるため、従来の工事現場においては、上階の床の下面に埋設した天井取付け用のインサートを利用してこれにフックをねじ込み、ケーブル、ホース類を束ねたワイヤを該フックに引掛けて吊るしているのが一般である。この手段は、ケーブル、ホース類の束から１本を抜き出したり付け加えたりする場合に束を解かなければならないので面倒である。
【０００３】
また実公平７−３８７８５号公報には、天井取付け用のインサートにねじ込みできる上向きの雄ねじと、天井吊りボルトをねじ込みできる下向きの雌ねじを設けた締め付け金物を準備し、天井裏にケーブルを敷設するために用いるＪ字形の吊りフックの上端に上下方向の透孔を設け、該透孔に前記締め付け金物の雄ねじを挿入して該雄ねじをインサートにねじ込むことにより、インサートに該吊りフックを固定するものが記載されている。しかしこの吊りフックは、天井吊りボルトと共に天井裏に恒久的に固定されるものであるから、工事用のケーブル、ホース類を所望の高さに簡単に吊るすことができ、容易に除去することもできる吊持具として利用することはできない。
【０００４】
【発明が解決しようとする課題】
本発明は、吊持具の構造が簡単で、且つ該吊持具の設置及び除去が簡単にできるようにすることを課題とする。
【０００５】
【課題を解決するための手段】
前記課題は、各請求項に記載した手段によって解決される。
このうち第１の手段は、請求項１に記載したとおり板体の長手方向の中間部を屈曲して屈曲部の両側に二つの部片を形成し、該部片の一方に、前記屈曲部の屈曲線と平行で幅方向の一側端から中間部に至る、吊り径の外径より溝幅が大きい溝穴を設け、該溝穴に面する対角位置の稜線を吊り棒に当接して摩擦力で係止し、該部片の他方に、前記屈曲部の屈曲線と平行で幅方向の他側端から中間部に至る溝穴を設けることを特徴とする。
【０００６】
この手段によれば、吊持具の二つの部片で形成される谷面を上向きにして、一方の部片の溝穴を吊り棒に遊嵌させると、他方の部片の重量で吊持具が傾き、溝穴の対角線上の上下の稜部が吊り棒に圧接され、摩擦力で自在鈎状に係止されるから、前記谷面にケーブル、ホース類を載置して吊持させることができる。吊持具の傾きを少なくして係止を解けば移動できるから、位置の変更や取り外しが容易にできる。
【０００７】
第２の手段は、請求項２に記載したとおり、請求項１において、前記部片の一方の溝穴の適所に、溝幅を僅かに拡大した凹部を設け、該凹部の対角位置の稜線を吊り棒に当接して係止することを特徴とする。
【０００８】
この手段によれば、吊持具を溝穴に設けた凹部に内接させた状態で係止すると、使用中に吊持具に溝穴方向の力が作用しても、吊り棒と凹部が相対的にずれるのが阻止され、吊り棒から吊持具が脱落するのが防止される。
【０００９】
【発明の実施の形態】
以下、図面を参照して発明の実施の形態を説明する。図１〜図３において、１は板体よりなる吊持具、２は丸棒よりなる吊り棒であり、建造中の建物の床３の下面に埋設した天井固定用のインサート４に取付けられる。該吊持具１は、中央の屈曲部５でアングル状又はＶ字状に屈曲されて、部片６，７に区画され、各部片６，７に溝穴８，９が屈曲部５と平行に開けられている。該溝穴８，９は、溝幅Ｗが吊り棒２の直径より大であり、板体の側端に開口８ａ，９ａ（図２）を有し、内端８ｂ，９ｂは、吊り棒２が板体の幅方向中心に来るように設けられている。
【００１０】
図示のように、一方の部片６の溝穴８を吊り棒２に嵌めると、該部片６は、他方の部片７の重量で矢印Ａ方向に右下がりに傾き、対角線上の稜線８1，８2が吊り棒２の表面に圧接し、これによって生じる摩擦力で、吊持具１は、図示の位置に谷面１０を上面とし山面１１を下面として保持される。そして、該谷面１０に、電気ケーブル又はホースなどの吊り物Ｈを載置すると、該吊り物Ｈの重量に基づくモーメントで稜線８1，８2における圧接力が増加し、吊持具１に対する係止力は、吊り物Ｈの重量以上に増大し、確実に吊持することができる。
【００１１】
この吊持具１は、前記の使用態様と別の使用態様をとることができる。図４は、該態様を示すもので、屈曲部５を横向きにして吊り棒２の下端から該吊り棒２に溝穴９，８を嵌合させる。この使用態様においては、吊り棒２に作用する矢印Ａ方向のモーメントで稜線８11，９11に圧接力が作用して係止力が生じる。この場合、吊り物Ｈ1は、吊持具１の山面１１と吊り棒２の間に保持され、吊り物Ｈ2は、屈曲部５近傍の谷面１０と吊り棒２によって保持される。矢印Ａ方向のモーメントは、部片７側の重量を部片６側より大にすることにより、又は吊り物Ｈ1をＨ2より大重量とすることにより得られる。なお、溝穴８，９の開口部８ａ，９ａを同一方向に開口させておけば、吊り棒２の側面から該溝穴８，９を嵌めることができる。
【００１２】
また、図５の実施の形態は、溝穴８，９の溝幅Ｗ1を、吊り棒２が通過可能に該吊り棒２の外径より僅かに大きい寸法とし、溝穴８の端部に丸穴状の凹部８ｃを設け、また溝穴９には中間部に丸穴状の凹部９ｃを設けたものである。この形態にあっては、凹部８ｃ又は９ｃに吊り棒２を内接させて係止させると、吊り棒２が凹部８ｃ又は９ｃからずれることができないから、吊持具１に溝穴方向の力が作用しても、その脱落が防止される。該凹部８ｃ又は９ｃは、溝穴の一側縁のみに円弧状に設けてもよい。
【００１３】
図６、図７は、前記吊持具１を、吊り用具２０の吊りパイプ２１を吊り棒として装着した例を示すもので、吊り用具２０は、吊り棒２１の上部に雄ねじ部２１ａを段部２１ｂを介して設け、該吊りパイプ２１内に、永久磁石２３を連結したワイヤロープ２４を挿通し、該ワイヤロープ２４の下部にフック２５を位置調節自在に係止している。前記吊りパイプ２１は、上端の雄ねじ部２１ａから段部２１ｂの上端にわたって、ワイヤロープ２４が通るスリット２１ｃ（図７）が切り込まれており、下部の内面には拡径部２１ｄが設けられている。前記フック２５は、吊り物ｈを乗せる載架部２６と、該載架部２６の姿勢を規制するための短管部２７と、ワイヤロープ２５の任意の位置でフック２６を下降不能に係止させる逆止め装置２８とを備える。
【００１４】
該逆止め装置２８は、従来公知のもので、短管部２７に設けたテーパー孔内に、ボールを遊動可能に保持したボールホルダを挿入し、該ボールをテーパー孔面とワイヤロープ２４に接触させ、載架部２６に加わる荷重で、テーパー面を介してボールをワイヤロープ２４に圧接してワイヤロープ２４を挟持する形式のものである。前記ボールホルダは、その下端に連設したレリーズ摘み２８ａをフック２５から下に引くことにより、ボールをテーパー孔の大径側に移動させてワイヤロープ２４をボールから解放させることができ、この状態でフック２５をワイヤロープ２４の任意の位置に動かすことができる。
【００１５】
この吊り用具２０を、下面にインサート４を有する上階の床３に使用する場合は、永久磁石４に続くワイヤロープ２４を、吊りパイプ２１のスリット２１ｃから引き出し、図６に示すように雄ねじ部２１ａをインサート４にねじ込み、フック２５の短管部２７を実線で示すように大径部２１ｄに挿入し、レリーズ摘み２８ａを操作してワイヤロープ２４を引き下げると、永久磁石２３は、床３と吊りパイプ２１の側部に係止され、フック２５をワイヤロープ２４を介して吊り下げることができる。
【００１６】
また、図７の天井３０の下面が鋼材よりなる場合は、永久磁石２３を天井３０に吸着させ、吊りパイプ２１をフック２５に乗せた自由状態にして使用する。
【００１７】
図６、図７の使用状態でフック２５に吊り物ｈが満杯のとき、又は該吊り物ｈと区別したい吊り物Ｈがあるときは、吊りパイプ２１を吊り棒と見なして前記吊持具１を使用し、前記溝穴８又は９を吊りパイプ２１の適所に係止させれば、簡単に吊り物Ｈを追加支持させることができる。
【００１８】
【発明の効果】
以上の説明から明らかなとおり、請求項１の手段によれば、屈曲した形状を有する吊持具に設けた溝穴を、吊り棒に係止させるだけでケーブル、ホース類の吊持ができ、該吊持具の取り外しも簡単にできるから、作業現場での手数が省けて便利であり、吊持具のコストも極めて安価である効果がある。
【００１９】
また請求項２の手段によれば、溝穴に設けた凹所によって、吊り棒に対する吊持具の位置ずれ又は外れが防止できる効果がある。
【図面の簡単な説明】
【図１】  本発明の実施の形態の使用状態を示す正面図
【図２】  同じく平面図
【図３】  同じく斜視図
【図４】  他の使用方法を示す正面図
【図５】  他の実施の形態を示す平面図
【図６】  特定の吊り用具に用いた一使用例の正面図
【図７】  特定の吊り用具に用いた他の使用例の正面図
【符号の説明】
１  吊持具                    ２  吊り棒
４  インサート                ５  屈曲部
６，７  部片                  ８，９  溝穴
８1，８2  稜線              ８ｃ，９ｃ  凹部
【図１】
0004332242.tif 000002
【図２】
0004332242.tif 000003
【図３】
0004332242.tif 000004
【図４】
0004332242.tif 000005
【図５】
0004332242.tif 000006
【図６】
0004332242.tif 000007
【図７】
0004332242.tif 000008